【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
高分子フィルムの第１の外面をＵＶ線硬化性組成物で被覆して、１つ以上の非被覆領域と１つ以上の被覆領域を有する高分子フィルムを形成する工程および
約２３０ｎｍ〜約２６５ｎｍの波長を実質的に含まない有効量のＵＶ線に、被覆された前記第１の外面を暴露し、前記ＵＶ線硬化性組成物を硬化させる工程
を含む方法によって製造された耐候性被覆高分子フィルム。
【手続補正２】
【補正対象書類名】明細書
【補正対象項目名】００６３
【補正方法】変更
【補正の内容】
【００６３】
本明細書が特定の実施形態に関して詳細に記載してきた一方で、前述した内容の理解を達成すると、当業者が、これらの実施形態の変更、変形および均等物を容易に思いつくことができることが認められるであろう。従って、本発明の範囲は、添付した特許請求の範囲および特許請求の範囲の一切の均等物の範囲として決定されるべきである。
本発明に関連する態様としては、以下のものがある。
本発明は、その第一の態様として、耐候性被覆高分子フィルムを製造する方法であって、
高分子フィルムの第１の外面をＵＶ線硬化性組成物で被覆して、１つ以上の非被覆領域と１つ以上の被覆領域を有する高分子フィルムを形成する工程および
約２３０ｎｍ〜約２６５ｎｍの波長を実質的に含まない有効量のＵＶ線に、被覆された前記第１の外面を暴露し、前記ＵＶ線硬化性組成物を硬化させる工程
を含む方法に関する。
本発明は、その第二の態様として、前記第一の態様において、前記ＵＶ線はフィルタによって提供される方法に関する。
本発明は、その第三の態様として、前記第一の態様において、前記ＵＶ線はＵＶ線源から前記波長を実質的に含まずに提供される方法に関する。
本発明は、その第四の態様として、前記第一の態様において、前記ポリマーフィルムはアクリル樹脂を含む方法に関する。
本発明は、その第五の態様として、前記第一の態様において、前記ポリマーフィルムは塩化ビニル樹脂を含む方法に関する。
本発明は、その第六の態様として、前記第四の態様において、前記１つ以上の非被覆領域は促進耐候試験プロトコルＡＳＴＭ  Ｇ１５４−００ａ、サイクル２に約２０００時間にわたって供された後に少なくとも９０％の保持された６０度光沢値を有する方法に関する。
本発明は、その第七の態様として、前記第五の態様において、前記１つ以上の非被覆領域は促進耐候試験プロトコルＡＳＴＭ  Ｇ１５４−００ａ、サイクル２に約２０００時間にわたって供された後に少なくとも８０％の保持された６０度光沢値を有する方法に関する。
本発明は、その第八の態様として、前記第四の態様において、前記１つ以上の非被覆領域は屋外耐候試験プロトコルＡＳＴＭ  Ｇ７に約３６５日にわたって供された後に少なくとも９０％の保持された６０度光沢値を有する方法に関する。
本発明は、その第九の態様として、前記第五の態様において、前記１つ以上の非被覆領域は屋外耐候試験プロトコルＡＳＴＭ  Ｇ７に約３６５日にわたって供された後に少なくとも８０％の保持された６０度光沢値を有する方法に関する。
本発明は、その第十の態様として、前記第一の態様において、前記ＵＶ線硬化性組成物はインクジェットプリンタによって被覆される方法に関する。
本発明は、その第十一の態様として、前記第一の態様において、前記ＵＶ線硬化性組成物は、スクリーン印刷、フレキソ印刷、噴霧、転写被覆、グラビア被覆、スロット被覆、カーテン被覆、平版印刷およびそれらの組み合わせからなる群から選択された手段によって被覆される方法に関する。
本発明は、その第十二の態様として、前記第二の態様において、前記フィルタはガラスを含む方法に関する。
本発明は、その第十三の態様として、高分子フィルムの第１の外面をＵＶ線硬化性組成物で被覆して、１つ以上の非被覆領域と１つ以上の被覆領域を有する高分子フィルムを形成する工程および
約２３０ｎｍ〜約２６５ｎｍの波長を実質的に含まない有効量のＵＶ線に、被覆された前記第１の外面を暴露し、前記ＵＶ線硬化性組成物を硬化させる工程
を含む方法によって製造された耐候性被覆高分子フィルムに関する。
本発明は、その第十四の態様として、暴露されたポリマーフィルムを有する耐候性再帰反射物品を製造する方法であって、
前記再帰反射物品の第１の外面をＵＶ線硬化性組成物で被覆して、１つ以上の非被覆領域と１つ以上の被覆領域を有する再帰反射物品を形成する工程および
約２３０ｎｍ〜約２６５ｎｍの波長を実質的に含まない有効量のＵＶ線に、被覆された前記第１の外面を暴露して、前記ＵＶ線硬化性組成物を硬化させる工程
を含む方法に関する。
本発明は、その第十五の態様として、前記第十四の態様において、前記ＵＶ線はフィルタによって提供される方法に関する。
本発明は、その第十六の態様として、前記第十四の態様において、前記ＵＶ線はＵＶ線源から前記波長を実質的に含まずに提供される方法に関する。
本発明は、その第十七の態様として、前記第十四の態様において、前記ポリマーフィルムはアクリル樹脂を含む方法に関する。
本発明は、その第十八の態様として、前記第十四の態様において、前記ポリマーフィルムは塩化ビニル樹脂を含む方法に関する。
本発明は、その第十九の態様として、前記第十七の態様において、前記１つ以上の非被覆領域は促進耐候試験プロトコルＡＳＴＭ  Ｇ１５４−００ａ、サイクル２に約２０００時間にわたって供された後に少なくとも９５％の保持された再帰反射率値を有する方法に関する。
本発明は、その第二十の態様として、前記第十八の態様において、前記１つ以上の非被覆領域は促進耐候試験プロトコルＡＳＴＭ  Ｇ１５４−００ａ、サイクル２に約２０００時間にわたって供された後に少なくとも８０％の保持された再帰反射率値を有する方法に関する。
本発明は、その第二十一の態様として、前記第十七の態様において、前記１つ以上の非被覆領域は屋外耐候試験プロトコルＡＳＴＭ  Ｇ７に約３６５日にわたって供された後に少なくとも９０％の保持された再帰反射率値を有する方法に関する。
本発明は、その第二十二の態様として、前記第十八の態様において、前記１つ以上の非被覆領域は屋外耐候試験プロトコルＡＳＴＭ  Ｇ７に約３６５日にわたって供された後に少なくとも８０％の保持された再帰反射率値を有する方法に関する。
本発明は、その第二十三の態様として、前記第十四の態様において、前記ＵＶ線硬化性組成物はインクジェットプリンタによって被覆される方法に関する。
本発明は、その第二十四の態様として、前記第十四の態様において、前記ＵＶ線硬化性組成物は、スクリーン印刷、フレキソ印刷、噴霧、転写被覆、グラビア被覆、スロット被覆、カーテン被覆、平版印刷およびそれらの組み合わせからなる群から選択された手段によって被覆される方法に関する。
本発明は、その第二十五の態様として、前記第十五の態様において、前記フィルタはガラスを含む方法に関する。
本発明は、その第二十六の態様として、暴露されたポリマーフィルムを有する耐候性再帰反射物品であって、
前記再帰反射物品の第１の外面をＵＶ線硬化性組成物で被覆して、１つ以上の非被覆領域と１つ以上の被覆領域を有する再帰反射物品を形成する工程および
約２３０ｎｍ〜約２６５ｎｍの波長を実質的に含まない有効量のＵＶ線に、被覆された前記第１の外面を暴露して、前記ＵＶ線硬化性組成物を硬化させる工程
を含む方法によって製造された物品に関する。
本発明は、その第二十七の態様として、前記第一の態様において、前記ＵＶ線硬化性組成物は光硬化性インキ組成物である方法に関する。
本発明は、その第二十八の態様として、前記第十四の態様において、前記ＵＶ線硬化性組成物は光硬化性インキ組成物である方法に関する。